(57)【要約】【課題】  撮影時の環境光の明るさを考慮して表示装置の発光部を発光制御することで、撮影時の被写体の印象に近い画像表示を実現することができる表示装置及びその制御方法を提供する。【解決手段】  本発明の表示装置は、画像の撮影時の撮影条件に関する撮影情報を取得する撮影情報取得部１０５を備える。発光輝度決定部１１４は、撮影情報に基づいて、発光部１１６の発光輝度（発光量）を決定する。発光制御部１１５は、決定された発光輝度（発光量）に従い、発光部１１６を駆動制御する。【選択図】  図１
2014155005.tif 000002
【特許請求の範囲】
【請求項１】
画像を表示する表示手段と、
前記表示手段の背面側に設けられる発光手段と、
前記画像の撮影時の撮影条件に関する撮影情報を取得する撮影情報取得手段と、
前記撮影情報に基づいて、前記発光手段の発光輝度を制御する制御手段と、を備える表示装置。
【請求項２】
前記撮影情報は、撮影時の環境光レベルを示す環境光レベル情報を含み、
前記制御手段は、撮影時の環境光レベルに応じて、前記発光手段の発光輝度を制御することを特徴とする請求項１に記載の表示装置。
【請求項３】
前記撮影情報は、ＩＳＯ感度、シャッタ速度および絞り値の少なくとも１つを示す情報を含み、
前記制御手段は、ＩＳＯ感度、シャッタ速度および絞り値の少なくとも１つに応じて、前記発光手段の発光輝度を制御することを特徴とする請求項１に記載の表示装置。
【請求項４】
前記撮影情報は、撮影モードを示す情報を含み、
前記制御手段は、撮影モードに応じて、前記発光手段の発光輝度を制御することを特徴とする請求項１に記載の表示装置。
【請求項５】
前記制御手段は、撮影時の環境光レベルが高い場合は、前記発光手段の発光輝度を高くし、撮影時の環境光レベルが低い場合は、前記発光手段の発光輝度を低くすることを特徴とする請求項２に記載の表示装置。
【請求項６】
さらに、前記表示手段に表示される画像の階調補正を行う階調補正手段を備え、
前記階調補正手段は、環境光レベルが高い場合は、前記画像の高階調成分の階調性を高め、環境光レベルが低い場合は、前記画像の低階調成分の階調性を高める階調補正を行うことを特徴とする請求項２または請求項４に記載の表示装置。
【請求項７】
さらに、前記表示手段に表示される画像の階調補正を行う階調補正手段を備え、
前記階調補正手段は、環境光レベルが高い場合は、前記画像の中間階調成分の階調レベルを下げ、環境光レベルが低い場合は、前記画像の中間階調成分の階調レベルを上げる階調補正を行うことを特徴とする請求項２または請求項４に記載の表示装置。
【請求項８】
さらに、前記画像の輝度に関する画像特徴量情報を取得する特徴量取得手段を備え、
前記制御手段は、前記画像の輝度に応じて、前記発光手段の発光輝度を制御することを特徴とする請求項１から請求項７までのいずれか１項に記載の表示装置。
【請求項９】
画像を表示する自発光型の表示手段と、
前記画像の撮影時の撮影条件に関する撮影情報を取得する撮影情報取得手段と、
前記撮影情報に基づいて、前記表示手段の発光ピーク輝度を制御する制御手段と、を備える表示装置。
【請求項１０】
画像を表示する表示手段と、前記表示手段の背面側に設けられる発光手段と、を備える表示装置の制御方法であって、
前記画像の撮影時の撮影条件に関する撮影情報を取得する撮影情報取得ステップと、
前記撮影情報に基づいて、前記発光手段の発光輝度を制御する制御ステップと、を有する表示装置の制御方法。
【請求項１１】
前記撮影情報は、撮影時の環境光レベルを示す環境光レベル情報を含み、
前記制御ステップは、撮影時の環境光レベルに応じて、前記発光手段の発光輝度を制御することを特徴とする請求項１０に記載の表示装置の制御方法。
【請求項１２】
前記撮影情報は、ＩＳＯ感度、シャッタ速度および絞り値の少なくとも１つを示す情報を含み、
前記制御ステップは、ＩＳＯ感度、シャッタ速度および絞り値の少なくとも１つに応じて、前記発光手段の発光輝度を制御することを特徴とする請求項１０に記載の表示装置の制御方法。
【請求項１３】
前記撮影情報は、撮影モードを示す情報を含み、
前記制御ステップは、撮影モードに応じて、前記発光手段の発光輝度を制御することを特徴とする請求項１０に記載の表示装置の制御方法。
【請求項１４】
前記制御ステップは、撮影時の環境光レベルが高い場合は、前記発光手段の発光輝度を高くし、撮影時の環境光レベルが低い場合は、前記発光手段の発光輝度を低くすることを特徴とする請求項１１に記載の表示装置の制御方法。
【請求項１５】
さらに、前記画像の階調補正を行う階調補正ステップを有し、
前記階調補正ステップは、環境光レベルが高い場合は、前記画像の高階調成分の階調性を高め、環境光レベルが低い場合は、前記画像の低階調成分の階調性を高める階調補正を行うことを特徴とする請求項１１または請求項１４に記載の表示装置の制御方法。
【請求項１６】
さらに、前記画像の階調補正を行う階調補正ステップを有し、
前記階調補正ステップは、環境光レベルが高い場合は、前記画像の中間階調成分の階調レベルを下げ、環境光レベルが低い場合は、前記画像の中間階調成分の階調レベルを上げる階調補正を行うことを特徴とする請求項１１または請求項１４に記載の表示装置の制御方法。
【請求項１７】
さらに、前記画像の輝度に関する画像特徴量情報を取得する特徴量取得ステップを備え、
前記制御ステップは、前記画像の輝度に応じて、前記発光手段の発光輝度を制御することを特徴とする請求項１０から請求項１６までのいずれか１項に記載の表示装置の制御方法。
【請求項１８】
画像を表示する自発光型の表示手段を備える表示装置の制御方法であって、
前記画像の撮影時の撮影条件に関する撮影情報を取得する撮影情報取得ステップと、
前記撮影情報に基づいて、前記表示手段の発光ピーク輝度を制御する制御ステップと、を有する表示装置の制御方法。
【発明の詳細な説明】
【技術分野】
【０００１】
本発明は、画像を表示する表示装置及びその制御方法に関する。
【背景技術】
【０００２】
従来から、画像が暗すぎる場合には画像データの輝度を上げたり、画像が明るすぎる場合には画像データの輝度を下げたりする画像処理を行う自動明るさ調整技術が提案されている。
【０００３】
例えば、下記の特許文献１には、画像ファイルに格納された撮影情報を読み出して撮影時の測光方式を判断し、撮影時の測光方式に応じて画像データに対する画像処理を行うことが開示されている。分割測光方式であった場合には自動明るさ調整を行い、スポット測光方式であった場合には自動明るさ調整を行わないようにする。これにより、スポットエリアの被写体だけに露出を合わせたいという撮影意図に反して画像の明るさが自動調整されることを防止することができる。
【０００４】
また、下記の特許文献２には、ＩＳＯ感度が高いほど画像にノイズが乗りやすくなるので、階調補正による画質調整を抑制することが開示されている。また、シャッタ速度や絞り値などから外光量を算出し、外光量が小さいほど階調補正量を小さくすることが開示されている。また、撮影時のモードが夜景撮影モードであれば階調補正量を小さくし、人物撮影モードであれば階調補正量を大きくすることが開示されている。
【先行技術文献】
【特許文献】
【０００５】
【特許文献１】特開２００４−５２１２０２号公報
【特許文献２】特開２００７−０６７９０７号公報
【発明の概要】
【発明が解決しようとする課題】
【０００６】
液晶パネルを用いた表示装置には、液晶パネルの背面側に発光部（バックライトモジュール）が設けられる。また、自発光型の有機ＥＬパネルを用いた表示装置では、有機ＥＬパネルが自発光の発光部として機能する。撮影時の被写体の印象に近い画像表示を実現するためには、撮影時の環境光の明るさを考慮して表示装置の発光を制御することが好ましいと考えられる。
【０００７】
しかしながら、上述の従来技術は、撮影情報を用いて画像データに対して適応的に画像処理を行うものであるため、表示装置の発光部の発光輝度が適切に制御されず、撮影時の被写体の印象に近い画像表示を実現できない場合があった。
【０００８】
例えば、環境光が明るい場所や暗い場所で撮影された画像を表示装置に表示する場合、表示装置の発光部の発光輝度が固定値であると、被写体が十分に明るく表示されないことがあった。特に、環境光が明るい場所で、逆光のため被写体の顔が暗く写った画像や、露出制御が適切に行われずに被写体が暗く写った画像などを表示装置に表示する場合、表示装置の発光部の発光輝度が固定値であると、被写体が十分に明るく表示されなかった。また、環境光が暗い場所で、高いＩＳＯ感度で撮影された画像を表示装置に表示する場合、表示装置の発光部の発光輝度が固定値であると、画像に乗ったノイズが目立って表示されてしまうことがあった。
【０００９】
また、画像データの輝度などの画像特徴量に応じた発光輝度制御（ディミング制御）を行う表示装置も従来から提案されているが、撮影時の環境光の明るさを考慮して表示装置の発光を制御するものではないため、撮影時の被写体の印象に近い画像表示を実現できない場合があった。例えば、環境光が明るい場所で露出制御が適切に行われずに被写体が暗く写った画像を表示装置に表示する場合、画像データの輝度に応じて発光輝度を低くすると、被写体が十分に明るく表示されなかった。また、環境光が暗い場所で、高いＩＳＯ感度で撮影された画像を表示装置に表示する場合、画像データの輝度に応じて発光輝度を高くすると、画像に乗ったノイズが目立って表示されてしまうことがあった。
【００１０】
そこで、本発明は、撮影時の環境光の明るさを考慮して表示装置の発光部を発光制御することで、撮影時の被写体の印象に近い画像表示を実現することができる表示装置及びその制御方法を提供することを目的とする。
【課題を解決するための手段】
【００１１】
上述した課題を解決するために、本発明に係る表示装置は、画像を表示する表示手段と、前記表示手段の背面側に設けられる発光手段と、前記画像の撮影時の撮影条件に関する撮影情報を取得する撮影情報取得手段と、前記撮影情報に基づいて、前記発光手段の発光輝度を制御する制御手段と、を備える。
【００１２】
また、本発明に係る他の表示装置は、画像を表示する自発光型の表示手段と、前記画像の撮影時の撮影条件に関する撮影情報を取得する撮影情報取得手段と、前記撮影情報に基づいて、前記表示手段の発光ピーク輝度を制御する制御手段と、を備える。
【発明の効果】
【００１３】
本発明によれば、撮影時の環境光の明るさを考慮して表示装置の発光部を発光制御することで、撮影時の被写体の印象に近い画像表示を実現することが可能となる。
【図面の簡単な説明】
【００１４】
【図１】実施の形態１に係る表示装置の構成を示すブロック図である。
【図２】画像ファイルのデータ構造、およびヘッダ部のデータ例について説明するための図である。
【図３】撮影情報として環境光レベル情報を画像ファイルに付加する手順について説明するための概念図である。
【図４】ｎ×ｍ画素の画像データがラスター形式の画像信号に変換される例について説明するための図である。
【図５】発光輝度決定処理について説明するためのフロー図である。
【図６】環境光レベルと発光輝度との関係を表した図である。
【図７】絞り値と環境光レベルとの関係を示す図である。
【図８】ＰＷＭ値と発光輝度との関係を例示する図である。
【図９】階調補正部が用いるガンマ補正曲線１〜９を例示する図である。
【図１０】発光部の発光輝度（低／中／高）と、適用されるガンマ補正曲線との関係を例示する図である。
【図１１】環境光レベルに応じて決定する発光輝度を上限値と下限値で制限する例を説明するための図である。
【図１２】実施の形態１の変更例における発光輝度決定処理について説明するためのフロー図である。
【図１３】撮影モードと環境光レベルとの関係を示す図である。
【図１４】実施の形態２に係る表示装置の構成を示すブロック図である。
【図１５】実施の形態２に係る発光輝度決定処理について説明するためのフロー図である。
【図１６】画像特徴量（最大輝度値）と発光輝度との関係、環境光レベルと発光輝度調整量との関係を表した図である。
【図１７】実施の形態３に係る表示装置の構成を示すブロック図である。
【図１８】環境光レベルと発光ピーク輝度との関係を表した図である。
【発明を実施するための形態】
【００１５】
（実施の形態１）
以下、図面を用いて本発明の実施の形態について説明する。
【００１６】
図１は、実施の形態１に係る表示装置１００の構成を示すブロック図である。表示装置１００は、入力部１０１、システム制御部１０２、記憶部１０３、デコーダ部１０４、撮影情報取得部１０５、フレームメモリ１０６、画像処理部１０７、パネル制御部１０９、データ信号供給部１１０、走査信号供給部１１１、液晶パネル部１１２を有する。表示装置１００は、さらに、発光輝度決定部１１４、発光制御部１１５、発光部１１６を有する。なお、本実施の形態に示す表示装置は、表示パネルと、該表示パネルを背面から照射する面発光装置である発光部（バックライトモジュール）を備える。なお、以下では表示パネルとして画像に応じて画素毎に光の透過率を制御可能な液晶パネルを例示し、発光部にＬＥＤ発光素子を用いる場合を例示するが、表示パネルやバックライトの光源はこれに限らない。例えば、バックライトの光源は、有機ＥＬ素子であってもよい。表示パネルは、液晶素子以外の素子（バックライトからの光の透過率を制御可能な素子）を有する表示パネルであってもよい。また、スクリーンに画像を投影する液晶プロジェクター等にも適用可能である。
【００１７】
入力部１０１には、外部装置から静止画像ファイルや動画像ファイルなどの画像ファイル、または外部装置でデコード処理された画像データが入力される。システム制御部１０２は、例えばＣＰＵ（Ｃｅｎｔｒａｌ  Ｐｒｏｃｅｓｓｉｎｇ  Ｕｎｉｔ）であり、表示装置１００が備える各ブロックの動作を制御する。具体的には、不図示の不揮発性メモリ（ＲＯＭ等）からコンピュータプログラムを読み出して、各種動作を実行する。
【００１８】
画像ファイルが入力部１０１に入力された場合、システム制御部１０２は、入力された画像ファイルを記憶部１０３に記憶する。デコーダ部１０４は、記憶部１０３に記憶された画像ファイルを読み出してデコード処理（復号処理）を施し、撮影情報と画像データを分離して出力する。撮影情報取得部１０５は、デコーダ部１０４から出力された撮影情報を取得し、システム制御１０２に出力する。フレームメモリ１０６は、デコーダ部１０４から出力された画像データを複数フレーム分蓄積する。
【００１９】
外部装置でデコード処理された画像データが入力部１０１に入力された場合、システム制御部１０２は、入力された画像データをフレームメモリ１０６に出力する。また、画像データに対応する撮影情報が外部装置から入力部１０１に入力された場合、システム制御部１０２は、入力された撮影情報を撮影情報取得部１０５に出力する。このようにして、撮影情報取得部１０５は、画像データに対応する撮影情報を、デコーダ部１０４またはシステム制御部１０２から取得する。
【００２０】
図２（Ａ）は、画像ファイルのデータ構造について説明するための図である。静止画像ファイルや動画像ファイルなどの画像ファイルは、ヘッダ部と画像データ部で構成される。ヘッダ部には、撮影時の撮影条件に関する撮影情報（環境光レベル、絞り値、シャッタ速度、ＩＳＯ感度、撮影モードなど）が格納されており、画像データ部には、画像を構成する画素毎のＲＧＢ値が格納されている。このように、撮影された画像データには撮影時の撮影条件に関する撮影情報が付加されるのが一般的である。画像ファイルのデータフォーマットは、ＯｐｅｎＥＸＲ、ＴＩＦＦ（Ｔａｇｇｅｄ  Ｉｍａｇｅ  Ｆｉｌｅ  Ｆｏｒｍａｔ）、ＪＰＥＧ（Ｊｏｉｎｔ  Ｐｈｏｔｏｇｒａｐｈｉｃ  Ｅｘｐｅｒｔｓ  Ｇｒｏｕｐ）、ＭＰＥＧ（Ｍｏｖｉｎｇ  Ｐｉｃｔｕｒｅ  Ｅｘｐｅｒｔｓ  Ｇｒｏｕｐ）、ＡＶＩ（Ａｕｄｉｏ  Ｖｉｄｅｏ  Ｉｎｔｅｒｌｅａｖｅ）などが挙げられる。
【００２１】
図２（Ｂ）は、ＯｐｅｎＥＸＲフォーマットのヘッダ部のデータ例を示す図である。ヘッダ部のデータは、属性名（ａｔｔｒｉｂｕｔｅ  ｎａｍｅ）、属性タイプ（ａｔｔｒｉｂｕｔｅ  ｔｙｐｅ）、属性サイズ（ａｔｔｒｉｂｕｔｅ  ｓｉｚｅ）、属性値（ａｔｔｒｉｂｕｔｅ  ｖａｌｕｅ）からなる。
【００２２】
属性名（ａｔｔｒｉｂｕｔｅ  ｎａｍｅ）は、撮影情報の種類を表す。撮影時の環境光の明るさ（環境光レベル）を示す情報は、「ｗｈｉｔｅ  ｌｕｍｉｎａｎｃｅ」とアスキーコードで記述される。属性タイブ（ａｔｔｒｉｂｕｔｅ  ｔｙｐｅ）は、後述する属性値（ａｔｔｒｉｂｕｔｅ  ｖａｌｕｅ）のデータ形式を表す。整数形式である場合は、「ｉｎｔ」と記述される。属性サイズ（ａｔｔｒｉｂｕｔｅ  ｓｉｚｅ）は、後述する属性値（ａｔｔｒｉｂｕｔｅ  ｖａｌｕｅ）のデータサイズ（Ｂｙｔｅ）を表す。属性値（ａｔｔｒｉｂｕｔｅ  ｖａｌｕｅ）は、撮影情報（絞り値、シャッタ速度、ＩＳＯ感度、環境光レベル）の値を表す。
【００２３】
ＯｐｅｎＥＸＲフォーマットは、ＨＤＲ（Ｈｉｇｈ  Ｄｙｎａｍｉｃ  Ｒａｎｇｅ）画像ファイルフォーマットであり、特にＣＧ（Ｃｏｍｐｕｔｅｒ  Ｇｒａｐｈｉｃｓ）業界で非常に幅広く使用されている。ＡＣＥＳ（Ａｃａｄｅｍｙ  Ｃｏｌｏｒ  Ｅｎｃｏｄｉｎｇ  Ｓｐｅｃｉｆｉｃａｔｉｏｎ：アカデミー色符号化仕様）データも、ＯｐｅｎＥＸＲフォーマットとの互換性がある。
【００２４】
図３は、撮影情報として環境光レベル情報を画像ファイルに付加する手順について説明するための概念図である。カメラ２０１で被写体の静止画撮影または動画撮影を行い、撮影した画像データをカメラ２０１内のリムーバブルメディア２０２に記録する。また、カメラ２０１での被写体撮影時（撮影中または撮影後）に、撮影者またはアシスタントが環境光レベルを測定器２０４で測定する。具体的には、被写体の近くに光を反射するホワイトボードを設置し、ホワイトボードの反射光を測定することにより、環境光レベルを測定する。そして、カメラ２０１に接続されたＰＣ（パーソナルコンピュータ）２０３を用いて測定値を入力すると、測定値が画像ファイルのヘッダ部に記録される。測定値の単位は、例えばｌｕｘ（ルクス）とする。リムーバブルメディア２０２に記録された画像ファイルは、リムーバブルメディア２０２をカメラ２０１から取り外して、表示装置１００に装着することにより、表示装置１００入力される。ただし、カメラ２０１と表示装置１００とをＵＳＢケーブルなどで接続し、カメラ２０１内のリムーバブルメディア２０２からＵＳＢケーブルを介して、表示装置１００に画像ファイルを入力する構成であってもよい。また、カメラ２０１に記録機能がない場合は、カメラ２０１とレコーダを接続し、レコーダとＰＣ２０３を接続し、レコーダ内のリムーバブルメディアに画像ファイルを記録する構成としてもよい。リムーバブルメディアとしては、フラッシュメモリやＳＤカードなどが挙げられる。
【００２５】
なお、動画撮影を行う場合には、シーン（１シーンは複数フレームで構成される）毎に環境光レベルを測定し、各シーンの測定値を画像ファイルのヘッダ部に記録してもよい。また、カメラ２０１に接続された測定器２０４が、撮影時に自動的に環境光レベルを測定し、測定値が測定器２０４からカメラ２０１に転送され、測定値が画像ファイルのヘッダ部に自動的に記録されるようにしてもよい。カメラ２０１に記録機能がない場合は、カメラ２０１に接続された測定器２０４による測定値がカメラ２０１からレコーダに転送され、測定値が画像ファイルのヘッダ部に自動的に記録されるようにすればよい。カメラ２０１（またはレコーダやプレーヤなど）からストリーム形式の画像データを表示装置１００に入力する構成であってもよい。例えば、カメラ２０１で撮影されたＲＡＷ形式（未現像のデータ形式）の動画像データをリアルタイムで表示装置１００に入力する構成であってもよい。また、カメラ２０１（またはレコーダやプレーヤなど）でデコード処理された動画像データを表示装置１００に入力する構成であってもよい。その場合、撮影時の環境光レベルを示す撮影情報は、カメラ２０１（またはレコーダやプレーヤなど）、ＰＣ２０３または測定器２０４から表示装置１００に入力される。
【００２６】
図１に戻って、撮影情報取得部１０５は、取得した撮影情報（環境光レベル、絞り値、シャッタ速度、ＩＳＯ感度、撮影モードなど）を解析する。例えば、前述したＯｐｅｎＥＸＲフォーマットの場合、属性名（ａｔｔｒｉｂｕｔｅ  ｎａｍｅ）「ｗｈｉｔｅ  ｌｕｍｉｎａｎｃｅ」に対応する属性値（ａｔｔｒｉｂｕｔｅ  ｖａｌｕｅ）を環境光レベル情報として抽出する。同様に、属性名と属性値を参照して、絞り値情報、シャッタ速度情報、ＩＳＯ感度情報、撮影モード情報を抽出する。そして、抽出した各種情報をシステム制御部１０２に出力する。
【００２７】
画像処理部１０７は、フレームメモリ１０６から画像データを読み出して、ラスター形式の画像信号に変換する。そして、ラスター形式の画像信号に各種画像処理（ＩＰ変換処理、拡大・縮小処理、エッジ強調処理、ゲイン調整、オフセット調整、色調整、リミット処理など）を施す。また、画像処理部１０７は、ラスター形式に変換した画像信号を、液晶パネル部１１２に適したデータ形式に変換して出力する。例えば、液晶パネル部１１２が対応するビット数の画像信号に変換する。
【００２８】
図４は、ｎ×ｍ画素の画像データがラスター形式の画像信号に変換される例について説明するための図である。ラスター形式の画像信号とは、画像を１ライン目からｍライン目まで順番に走査して得られる連続した画素データ列の一連である。画像処理部１０７は、画像データの各フレームの開始を示す垂直同期信号と、各ラインの開始を示す水平同期信号を、画像信号に付加して出力する。
【００２９】
階調補正部１０８は、後述の発光輝度決定部１１４により決定された発光部１１６の発光輝度に基づいて、画像処理部１０７からの画像信号に階調補正処理を施し、パネル制御部１０９に出力する。階調補正部１０８による階調補正処理については後述する。また、画像処理部１０７からの垂直同期信号と水平同期信号をパネル制御部１０９に出力する。
【００３０】
液晶パネル部１１２は、マトリックス状に液晶の画素が配置された液晶パネルであり、各画素には水平方向に配線された走査線と垂直方向に配線されたデータ線が配置されている。走査線でラインを選択し、データ線からそのラインのデータを与えることにより、各ラインの液晶の透過率が制御される。
【００３１】
パネル制御部１０９は、階調補正部１０８から出力された画像信号、垂直同期信号および水平同期信号に基づいて、走査信号とラインデータ信号を生成する。走査信号は、液晶パネル部１１２のラインを上から順に１ライン単位で選択するための信号で、ラインデータ信号は、走査信号で選択したラインに画像データを供給するための信号である。走査信号供給部１１１は、パネル制御部１０９からの走査信号に基づいて、液晶パネル部１１２のラインを順次選択する。データ信号供給部１１０は、パネル制御部１０９からのラインデータ信号に基づいて、液晶パネル部１１２の各ラインにデータを供給する。
【００３２】
なお、画像処理部１０７は、１フレーム期間内に垂直同期信号を一時的にイネーブル状態にするイネーブル期間を設ける。システム制御部１０２は、各フレームまたは各シーンに対応する撮影情報を撮影情報取得部１０５から受け取り、受け取った撮影情報を垂直同期信号のイネーブル期間内に発光輝度決定部１１４に出力する。これにより、フレーム単位またはシーン単位で、パネル制御部１０９による液晶パネル部１１２への画像表示と、発光制御部１１５による発光部１１６の発光輝度制御とを同期させることが可能となる。
【００３３】
発光輝度決定部１１４は、撮影情報取得部１０５が取得した撮影情報（環境光レベル、絞り値、シャッタ速度、ＩＳＯ感度、撮影モードなど）を、システム制御部１０２を介して受け取り、撮影情報に基づいて発光部１１６の発光輝度（発光量）を決定する。
【００３４】
図５は、発光輝度決定部１１４による発光輝度決定処理について説明するためのフロー図である。この発光輝度決定処理は、画像データの表示開始時に実行される。静止画像表示の場合は、発光輝度決定部１１４が静止画像の表示前に発光輝度決定処理を実行する。動画像表示の場合は、発光輝度決定部１１４が動画像の表示前に発光輝度決定処理を実行するとともに、表示中にフレーム毎またはシーン毎に発光輝度決定処理を実行する。
【００３５】
ステップＳ１で、発光輝度決定部１１４は、表示対象の画像データに対応する撮影情報があるか否かを判別する。そして、撮影情報がある場合は、ステップＳ２に進み、撮影情報がない場合は、ステップＳ６に進む。
【００３６】
ステップＳ２で、発光輝度決定部１１４は、撮影情報に環境光レベル情報が含まれているか否かを判別する。そして、環境光レベル情報がある場合は、ステップＳ３に進み、予め記憶している環境光レベルと発光輝度との関係を示すテーブルを参照し、環境光レベルに応じて発光部１１６の発光輝度を決定する。発光輝度決定部１１４は、環境光レベルと発光輝度との関係を示すテーブルを記憶するメモリ（不図示）を有する。
【００３７】
図６は、横軸を環境光レベル（ｌｕｘ：ルクス）、縦軸を発光部１１６の発光輝度（ｃｄ／ｍ２：カンデラ毎平方メートル）とし、環境光レベルと発光輝度との関係を表した図である。このように、環境光の照度単位はルクスが用いられ、発光輝度単位にはカンデラが用いられる。撮影時の被写体の印象に近い画像表示を実現するために、環境光レベルが所定値よりも高い場合は、発光輝度を基準値よりも高くし、環境光レベルが所定値よりも低い場合は、発光輝度を基準値よりも低くする。そして、環境光レベルが高ければ高いほど、発光輝度をより高くし、環境光レベルが低ければ低いほど、発光輝度をより低くする。晴天時の環境光レベルは約１００，０００（ｌｕｘ）、曇天時の環境光レベルは約１０，０００（ｌｕｘ）、蛍光灯室内は約１，０００（ｌｕｘ）、街灯下で約１００（ｌｕｘ）、月明かりで約１（ｌｕｘ）である。環境光レベルの最大値Ｓ＿ｍａｘ（例えば、１００，０００（ｌｕｘ））に対応する発光部１１６の発光輝度の最大値Ｂ＿ｍａｘは、例えば１，０００（ｃｄ／ｍ２）とする。また、環境光レベルの基準値Ｓ＿ｒｅｆ（例えば、６０，０００（ｌｕｘ））に対応する発光部１１６の発光輝度の中間値Ｂ＿ｍｉｄは、例えば５００（ｃｄ／ｍ２）とする。また、環境光レベルの最小値Ｓ＿ｍｉｎ（例えば、０（ｌｕｘ））に対応する発光部１１６の発光輝度の最小値Ｂ＿ｍｉｎは、例えば１００（ｃｄ／ｍ２）とする。このように、環境光レベルがゼロの場合でも、発光輝度が所定の閾値Ｂ＿ｍｉｎ（＞０）となるようにする。これは、測定環境によっては、測定器で測定された環境光レベルがゼロであっても、実際には被写体に多少の光が当たっており、撮影された画像に被写体が写っている可能性があることを考慮し、被写体が視認可能なように画像表示するためである。
【００３８】
図５に戻って、撮影情報に環境光レベル情報が含まれていない場合は、ステップＳ２からステップＳ４に進み、発光輝度決定部１１４は、撮影情報からマニュアルモードで撮影されたかオートモードで撮影されたかを判別する。そして、オートモードで撮影された場合には、ステップＳ５に進み、撮影情報にシャッタ速度情報、絞り値情報、ＩＳＯ感度情報があるか否かを判別する。そして、撮影情報にシャッタ速度情報、絞り値情報、ＩＳＯ感度情報が含まれている場合には、ステップＳ６に進み、シャッタ速度情報、絞り値情報、ＩＳＯ感度情報に基づいて、発光部１１６の発光輝度を決定する。このステップＳ６の決定処理については後述する。なお、マニュアルモードとは、シャッタ速度、絞り値、ＩＳＯ感度を全てユーザが手動で設定して撮影するモードを意味する。また、オートモードとは、シャッタ速度、絞り値、ＩＳＯ感度のうち少なくとも１つをカメラが自動設定して撮影するモードを意味する。
【００３９】
ステップＳ１で撮影情報がないと判別された場合、ステップＳ４でマニュアルモードで撮影されたと判別された場合、およびステップＳ４で撮影情報にシャッタ速度情報、絞り値情報、ＩＳＯ感度情報が含まれていないと判別された場合には、ステップＳ７に進む。ステップＳ７で、発光輝度決定部１１４は、発光部１１６の発光輝度を予め定められた基準値に設定する。基準値は、例えば上述のＢ＿ｍｉｄ（５００（ｃｄ／ｍ２））と設定してもよいし、例えば７００（ｃｄ／ｍ２）等の任意の値に設定してもよく、ユーザが基準値の値を任意に設定変更可能な構成としてもよい。
【００４０】
ここで、ステップＳ６において、発光輝度決定部１１４が、シャッタ速度情報、絞り値情報、ＩＳＯ感度情報に基づいて、発光部１１６の発光輝度を決定する処理について詳細に説明する。発光輝度決定部１１４は、シャッタ速度情報、絞り値情報、ＩＳＯ感度情報に基づき、撮影時の環境光レベルを推定する。撮影時の環境光レベルは、撮影時の露出値ＥＶ（Ｅｘｐｏｓｕｒｅ  Ｖａｌｕｅ）の算出と同様な方法で推定できる。ＩＳＯ感度＝Ｘ、絞り値＝Ｙ、シャッタ速度＝Ｚとした場合、下記の数式（１）による算出値ＥＶが、撮影時の環境光レベルとして算出される。
ＥＶ＝ｌｏｇ２（Ｘ／１００）＋２ｌｏｇ２（Ｙ）＋ｌｏｇ２（Ｚ）    ・・・（１）
【００４１】
図７は、ＩＳＯ感度Ｘ＝１００、シャッタ速度Ｚ＝１／６０である場合において、絞り値Ｙと環境光レベル（ｌｕｘ）との関係を示す図である。例えば、ＩＳＯ感度Ｘ＝１００、シャッタ速度Ｚ＝１／６０、絞り値Ｙ＝８である場合、上記数式（１）による算出値ＥＶ＝約１２となる。算出値ＥＶ＝１２の場合、晴天時の環境光レベル１００，０００（ｌｕｘ）と推定される。数式（１）によれば、ＩＳＯ感度が低いほど環境光レベルが高く、絞り値が大きいほど環境光レベルが高く、シャッタ速度が速いほど環境光レベルが高いと推定される。逆に、ＩＳＯ感度が高いほど環境光レベルが低く、絞り値が小さいほど環境光レベルが低く、シャッタ速度が遅いほど環境光レベルが低いと推定される。算出値ＥＶと環境光レベルは比例関係であり、例えば、算出値ＥＶ＝６の場合、環境光レベル５０，０００（ｌｕｘ）、算出値ＥＶ＝３の場合、環境光レベル２５，０００（ｌｕｘ）と推定される。
【００４２】
このように、発光輝度決定部１１４は、シャッタ速度情報、絞り値情報、ＩＳＯ感度情報に基づき、数式（１）を用いて撮影時の環境光レベルを推定し、図６に示した環境光レベルと発光輝度との関係を示すテーブルを参照して、発光部１１６の発光輝度を決定する。なお、本実施の形態では、シャッタ速度情報、絞り値情報、ＩＳＯ感度情報の３つを用いて、発光部１１６の発光輝度を決定する例を挙げたが、シャッタ速度情報、絞り値情報、ＩＳＯ感度情報の１つ又は２つだけを用いて、発光部１１６の発光輝度を決定してもよい。ＩＳＯ感度が低いほど環境光レベルが高く、ＩＳＯ感度が高いほど環境光レベルが低いと推定される。また、絞り値が大きいほど環境光レベルが高く、絞り値が小さいほど環境光レベルが低いと推定される。また、シャッタ速度が速いほど環境光レベルが高く、シャッタ速度が遅いほど環境光レベルが低いと推定される。この関係から、シャッタ速度情報、絞り値情報、ＩＳＯ感度情報の少なくとも１つを用いて、発光部１１６の発光輝度を決定することができる。
【００４３】
図１に戻って、発光部１１６は、液晶パネル部１１２の背面側に設けられるバックライトモジュールであって、多数のＬＥＤ（Ｌｉｇｈｔ  Ｅｍｉｔｔｉｎｇ  Ｄｉｏｄｅ）などの発光素子が基板上に搭載されたものである。発光制御部１１５は、発光輝度決定部１１４により決定された発光輝度に従い、直流電流制御信号とＰＷＭ信号を生成し、発光部１１６を駆動制御する。
【００４４】
図８は、標準および標準の１／１０の電流値でＬＥＤを駆動した場合におけるＰＷＭ値（デューティ比）と発光輝度（ｃｄ／ｍ２）との関係を例示する図である。発光部１１６の発光輝度は、発光部１１６のＬＥＤを駆動する電流値と、電流ＯＮ／ＯＦＦのデューティ比により決定される。電流値とＰＷＭ値の両方を制御することにより、広いダイナミックレンジで発光輝度を制御することができる。例えば、発光輝度が５００（ｃｄ／ｍ２）の場合、ＬＥＤを標準の電流値で駆動し、ＰＷＭ信号のデューティ比を５０％とすればよい。
【００４５】
次に、階調補正部１０８による階調補正処理について説明する。階調補正部１０８は、発光輝度決定部１１４により決定された発光部１１６の発光輝度に基づいて、画像処理部１０７からの画像信号に階調補正処理を施す。
【００４６】
図９は、階調補正部１０８が用いるガンマ補正曲線１〜９を例示する図である。横軸は入力階調レベル、縦軸は出力階調レベルを示す。また、図１０は、発光部１１６の発光輝度（低／中／高）と、適用されるガンマ補正曲線との関係を例示する図である。この図１０は、適用されるガンマ補正曲線の入力階調レベルと出力階調レベルに、発光部１１６の発光輝度（低／中／高）をマージして表したイメージ図（入力輝度と出力輝度との関係イメージ図）も例示している。
【００４７】
発光部１１６の発光輝度が所定値よりも低い場合は、画像の低階調成分（低輝度成分）の階調性を高め、高階調（高輝度）成分の階調性を低め、中間階調成分（中間輝度成分）の階調レベルを上げるガンマ補正曲線を用いる。一方、発光部１１６の発光輝度が高い場合は、画像の高階調成分（高輝度成分）の階調性を高め、低階調成分（低輝度成分）の階調性を低め、中間階調成分（中間輝度成分）の階調レベルを下げるガンマ補正曲線を用いる。そして、発光部１１６の発光輝度が低ければ低いほど、画像の低階調成分（低輝度成分）の階調性をより高め、高階調（高輝度）成分の階調性をより低め、中間階調成分（中間輝度成分）の階調レベルをより上げるガンマ補正曲線を用いる。一方、発光部１１６の発光輝度が高ければ高いほど、画像の高階調成分（高輝度成分）の階調性をより高め、低階調成分（低輝度成分）の階調性をより低め、中間階調成分（中間輝度成分）の階調レベルをより下げるガンマ補正曲線を用いる。
【００４８】
具体的には、環境光レベルが基準値Ｓ＿ｒｅｆ（例えば、６０，０００（ｌｕｘ））よりも低い場合、発光部１１６の発光輝度は中間値Ｂ＿ｍｉｄ（例えば、５００（ｃｄ／ｍ２））よりも低く設定され、ガンマ補正曲線１〜４のいずれかが選択される。例えば、環境光レベルが最小値Ｓ＿ｍｉｎ（例えば、０（ｌｕｘ））の場合には、発光輝度は最小値Ｂ＿ｍｉｎ（例えば、１００（ｃｄ／ｍ２））に設定され、ガンマ補正曲線１が選択される。撮影時の環境光レベルが低い場合は被写体が暗いため、このように画像の低階調成分（低輝度成分）の階調性（階調再現性）を高めるのが好ましい。また、発光部１１６の発光輝度が低く設定されるため、画像の中間階調成分（中間輝度成分）の階調レベル（輝度レベル）を上げるのが好ましい。
【００４９】
また、環境光レベルが基準値Ｓ＿ｒｅｆ（例えば、６０，０００（ｌｕｘ））近傍である場合、発光部１１６の発光輝度は中間値Ｂ＿ｍｉｄ（例えば、５００（ｃｄ／ｍ２））に設定され、ガンマ補正曲線５が選択される。この場合、入力階調レベルと出力階調レベルは等しくなる。
【００５０】
また、環境光レベルが基準値Ｓ＿ｒｅｆ（例えば、６０，０００（ｌｕｘ））よりも高い場合、発光部１１６の発光輝度は中間値Ｂ＿ｍｉｄ（例えば、５００（ｃｄ／ｍ２））よりも高く設定され、ガンマ補正曲線６〜９のいずれかが選択される。例えば、環境光レベルが最大値Ｓ＿ｍａｘ（例えば、１００，０００（ｌｕｘ））の場合には、発光輝度は最大値Ｂ＿ｍａｘ（例えば、１，０００（ｃｄ／ｍ２））に設定され、ガンマ補正曲線９が選択される。撮影時の環境光レベルが高い場合は被写体が明るいため、このように画像の高階調成分（高輝度成分）の階調性（階調再現性）を高めるのが好ましい。また、発光部１１６の発光輝度が高く設定されるため、画像の中間階調成分（中間輝度成分）の階調レベル（輝度レベル）を下げるのが好ましい。
【００５１】
以上のように、本実施の形態によれば、撮影時の環境光の明るさを考慮して表示装置の発光部を発光制御することで、撮影時の被写体の印象に近い画像表示を実現することができる。撮影現場を従来よりも忠実に再現して表示することができるため、特に静止画像や動画像の作品観賞用途に有効である。なお、上述した階調補正部１０８による階調補正処理は省いてもよい。環境光レベルに応じた発光輝度の制御を行うだけでも、撮影時の被写体の印象に近い画像表示を実現することができる。階調補正部１０８による階調補正処理を行う場合は、被写体の階調再現性を高めることができるため、撮影時の被写体の印象により近い画像表示を実現することができる。
【００５２】
なお、図６に示した発光輝度範囲よりも、発光部１１６の発光輝度範囲が狭い場合は、図１１に示すように、環境光レベルに応じて決定する発光輝度を上限値と下限値で制限すればよい。図１１では、環境光レベルの範囲が０〜Ｓ＿ｍａｘ（例えば、１００，０００（ｌｕｘ））、発光部１１６の発光輝度範囲がＢ＿ｌ（例えば、２００（ｃｄ／ｍ２））〜Ｂ＿ｈ（例えば、９００（ｃｄ／ｍ２））である場合を例示している。環境光レベルが閾値Ｓ＿ｈ（例えば、９０，０００（ｌｕｘ））〜最大値Ｓ＿ｍａｘ（例えば、１００，０００（ｌｕｘ））の範囲に対応する発光部１１６の発光輝度を、上限値Ｂ＿ｈ（例えば、９００（ｃｄ／ｍ２）とする。また、環境光レベルが、ゼロ〜閾値Ｓ＿ｌ（例えば、１０，０００（ｌｕｘ））の範囲に対応する発光部１１６の発光輝度を、下限値Ｂ＿ｌ（例えば、２００（ｃｄ／ｍ２）とする。このようにすることで、発光部１１６の発光輝度範囲が狭い場合でも、環境光レベルに応じて適切な発光輝度を決定することが可能になる。
【００５３】
（実施の形態１の変更例）
実施の形態１では、図５のステップＳ６において、発光輝度決定部１１４が、シャッタ速度情報、絞り値情報、ＩＳＯ感度情報に基づいて、発光部１１６の発光輝度（発光量）を決定した。これに対し、本変更例では、撮影モードに基づいて、発光部１１６の発光輝度（発光量）を決定する。なお、本変更例において、実施の形態１と同様の内容に関しては説明を繰り返さず、変更点についてのみ詳細に説明する。
【００５４】
図１２は、本変更例における発光輝度決定処理について説明するためのフロー図である。図１２のステップＳ１１〜Ｓ１４，Ｓ１７は、図５のステップＳ１〜Ｓ４，Ｓ７と同様であるため説明は繰り返さない。
【００５５】
発光輝度決定部１１４は、ステップＳ１４で、オートモードで撮影されたと判別した場合には、ステップＳ１５に進み、所定の撮影モードで撮影されたか否かを判別する。具体的には、撮影モードは、夜景モード、高感度モード、風景モード、スノーモード、ビーチモードのいずれかに該当するか否かを判別する。そして、所定の撮影モードでは撮影されていない場合には、ステップＳ１７に進み、発光輝度決定部１１４は、発光部１１６の発光輝度を予め定められた基準値に設定する。一方、所定の撮影モードで撮影された場合には、ステップＳ１６に進み、撮影モードに基づいて、発光部１１６の発光輝度を決定する。
【００５６】
図１３は、撮影モードと環境光レベル（ｌｕｘ）との関係を示す図である。発光輝度決定部１１４は、予め記憶している撮影モードと環境光レベルとの関係を示すテーブルを参照し、撮影モード情報に基づき撮影時の環境光レベルを推定する。発光輝度決定部１１４は、撮影モードと環境光レベルとの関係を示すテーブルを記憶するメモリ（不図示）を有する。
【００５７】
撮影モードが、夜景モードまたは高感度モードであった場合、環境光レベルは１００（ｌｕｘ）と推定される。風景モードであった場合、環境光レベルは７０，０００（ｌｕｘ）と推定される。スノーモードまたはビーチモードであった場合、環境光レベルは１００，０００（ｌｕｘ）と推定される。
【００５８】
このように、発光輝度決定部１１４は、撮影モード情報に基づき撮影時の環境光レベルを推定し、図６に示した環境光レベルと発光輝度の関係を示すテーブルを参照して、発光部１１６の発光輝度を決定する。
【００５９】
本変更例によれば、実施の形態１と同様の効果が得られる。また、撮影モードと環境光レベルとの関係を示すテーブルを参照し、撮影モード情報に基づき撮影時の環境光レベルを推定するので、シャッタ速度情報、絞り値情報、ＩＳＯ感度情報に基づく環境光レベルの演算処理が不要なる分、処理負荷が低減できる。
【００６０】
（実施の形態２）
実施の形態１では、撮影情報（環境光レベル、絞り値、シャッタ速度、ＩＳＯ感度、撮影モードなど）に基づいて発光部１１６の発光輝度（発光量）を決定した。これに対し、本実施の形態２では、撮影情報と画像特徴量情報（最大輝度値など）とに基づいて、発光部１１６の発光輝度（発光量）を決定する。
【００６１】
図１４は、実施の形態２に係る表示装置３００の構成を示すブロック図である。図１４の表示装置３００を参照して、図１の表示装置１００と異なる点は、特徴量取得部３０１が追加され、システム制御部１０２がシステム制御部３０２に置換され、発光輝度決定部１１４が発光輝度決定部３０３に置換されている点である。図１４において、図１と同じ構成要素ついては同一の符号を付し、その詳細な説明は繰り返さない。
【００６２】
特徴量取得部３０１は、フレームメモリ１０６に蓄積された各フレームの画像の特徴量を示す画像特徴量情報を取得し、システム制御部３０２に出力する。具体的には、特徴量取得部３０１は、各フレームの画像を解析して、輝度ヒストグラムを作成し、最大輝度値（最大階調値）を取得する。なお、ここでは、各フレームの画像の最大輝度値を取得する場合を例に挙げて説明するが、各フレームの画像の平均輝度値（ＡＰＬ：Ａｖｅｒａｇｅ  Ｐｉｃｔｕｒｅ  Ｌｅｖｅｌ）を取得してもよい。
【００６３】
システム制御部３０２は、実施の形態１と同様に、表示装置３００が備える各ブロックの動作を制御する他、特徴量取得部３０１から入力された画像特徴量情報を発光輝度決定部３０３に出力する。このシステム制御部３０２は、システム制御部１０２は、各フレームに対応する画像特徴量情報を特徴量取得部３０１から受け取り、受け取った画像特徴量情報を垂直同期信号のイネーブル期間内に発光輝度決定部３０３に出力する。これにより、フレーム単位で、パネル制御部１０９による液晶パネル部１１２への画像表示と、発光制御部１１５による発光部１１６の発光輝度制御とを同期させることが可能となる。
【００６４】
発光輝度決定部３０３は、特徴量取得部３０１が取得した画像特徴量情報と、撮影情報取得部１０５が取得した撮影情報とを、システム制御部３０２を介して受け取り、画像特徴量情報と撮影情報とに基づいて、発光部１１６の発光輝度を決定する。具体的には、発光輝度決定部３０３は、特徴量取得部３０１が取得した画像特徴量情報に基づいて、発光部１１６の発光輝度を仮決定した後、撮影情報取得部１０５が取得した撮影情報に基づいて、発光輝度の調整量を決定し、発光部１１６の発光輝度を本決定する。
【００６５】
図１５は、発光輝度決定部３０３による発光輝度決定処理について説明するためのフロー図である。この発光輝度決定処理は、画像データの表示開始時に実行される。静止画像表示の場合は、発光輝度決定部３０３が静止画像の表示前に発光輝度決定処理を実行する。動画像表示の場合は、発光輝度決定部３０３が動画像の表示前に発光輝度決定処理を実行するとともに、表示中にフレーム毎またはシーン毎に発光輝度決定処理を実行する。
【００６６】
ステップＳ２０で、発光輝度決定部３０３は、特徴量取得部３０１が取得した画像特徴量情報に基づいて、発光部１１６の発光輝度を仮決定する。具体的には、予め記憶している画像特徴量（最大輝度値）と発光輝度との関係を示すテーブルを参照し、表示対象の画像データの画像特徴量（最大輝度値）に応じて、発光部１１６の発光輝度を仮決定する。発光輝度決定部３０３は、画像特徴量（最大輝度値）と発光輝度との関係を示すテーブルを記憶するメモリ（不図示）を有する。
【００６７】
図１６（Ａ）は、横軸を画像特徴量（最大輝度値）、縦軸を発光部１１６の発光輝度（ｃｄ／ｍ２：カンデラ毎平方メートル）とし、画像特徴量と発光輝度との関係を表した図である。画像特徴量として８ビットの最大輝度値を用いる場合を例示する。画像データの輝度などの画像特徴量に応じた画像表示を実現するために、画像データの最大輝度値が所定値よりも高い場合は、発光輝度を基準値よりも高くし、画像データの最大輝度値が所定値よりも低い場合は、発光輝度を基準値よりも低くする。そして、画像データの最大輝度値が高ければ高いほど、発光輝度をより高くし、画像データの最大輝度値が低ければ低いほど、発光輝度をより低くする。
【００６８】
画像データの最大輝度値の最大値Ｓ＿ｍａｘ（例えば、２５５）に対応する発光部１１６の発光輝度の最大値Ｂ＿ｍａｘは、例えば１，０００（ｃｄ／ｍ２）とする。また。画像データの最大輝度値の基準値Ｓ＿ｒｅｆ（例えば、１５０）に対応する発光部１１６の発光輝度の中間値Ｂ＿ｍｉｄは、例えば５００（ｃｄ／ｍ２）とする。また、黒画像データに対応する発光部１１６の発光輝度の最小値Ｂ＿ｍｉｎは、例えば１００（ｃｄ／ｍ２）とする。このような、画像特徴量に応じた発光輝度制御はディミング制御とも呼ばれる。
【００６９】
図１５のステップＳ２１，２２，２４，２５は、図５のステップＳ１，Ｓ２，Ｓ４，Ｓ５と同様であるため、ここでは説明は繰り返さない。ステップＳ２３において、発光輝度決定部３０３は、予め記憶している環境光レベルと発光輝度調整量との関係を示すテーブルを参照し、環境光レベルに応じて発光部１１６の発光輝度調整量を決定する。発光輝度決定部３０３は、環境光レベルと発光輝度調整量との関係を示すテーブルを記憶するメモリ（不図示）を有する。
【００７０】
図１６（Ｂ）は、横軸を環境光レベル（ｌｕｘ：ルクス）、縦軸を発光部１１６の発光輝度調整量（ｃｄ／ｍ２：カンデラ毎平方メートル）とし、環境光レベルと発光輝度調整量との関係を表した図である。撮影時の被写体の印象に近い画像表示を実現するために、環境光レベルが所定値よりも高い場合は、発光輝度を高くし、環境光レベルが所定値よりも低い場合は、発光輝度を低くするように、発光輝度調整量を決定する。そして、環境光レベルが高ければ高いほど、発光輝度をより高くし、環境光レベルが低ければ低いほど、発光輝度をより低くするように、発光輝度調整量を決定する。
【００７１】
環境光レベルの最大値Ｓ＿ｍａｘ（例えば、１００，０００（ｌｕｘ））に対応する発光部１１６の発光輝度調整量は、例えば３００（ｃｄ／ｍ２）とする。また。環境光レベルの基準値Ｓ＿ｒｅｆ（例えば、６０，０００（ｌｕｘ））に対応する発光部１１６の発光輝度調整量はゼロとする。また、環境光レベルの最小値Ｓ＿ｍｉｎ（例えば、０（ｌｕｘ））に対応する発光部１１６の発光輝度調整量は、例えば−３００（ｃｄ／ｍ２）とする。
【００７２】
ステップＳ２６では、発光輝度決定部３０３が、シャッタ速度情報、絞り値情報、ＩＳＯ感度情報に基づいて、発光部１１６の発光輝度調整量を決定する。まず、発光輝度決定部３０３は、シャッタ速度情報、絞り値情報、ＩＳＯ感度情報に基づき、撮影時の環境光レベルを推定する。具体的には、実施の形態１で用いた数式（１）による算出値ＥＶが、撮影時の環境光レベルとして算出される。そして、図１６（Ｂ）に示した環境光レベルと発光輝度調整量との関係を示すテーブルを参照して、発光部１１６の発光輝度を決定する。
【００７３】
ステップＳ２７では、発光輝度決定部３０３は、発光部１１６の発光輝度調整量をゼロに設定する。
【００７４】
ステップＳ２８で、発光輝度決定部３０３は、ステップＳ２０で仮決定した発光輝度値に、ステップＳ２３，Ｓ２６，Ｓ２７で決定した発光輝度調整量を足して、発光部１１６の発光輝度を本決定する。
【００７５】
以上のように、本実施の形態によれば、画像データの画像特徴量に応じて表示装置の発光部を発光制御することで、画像特徴量に応じた画像表示を実現することができる。そして、なおかつ、撮影時の環境光の明るさを考慮して発光部を発光制御することで、撮影時の被写体の印象に近い画像表示を実現することができる。撮影現場を従来よりも忠実に再現して表示することができるため、特に静止画像や動画像の作品観賞用途に有効である。
【００７６】
なお、本実施の形態では、発光部１１６の発光輝度を全画面一様に制御する場合について説明したが、発光部１１６の発光輝度を分割エリア毎に制御する場合にも適用可能である。この場合は、画像データの分割エリア毎の画像特徴量（最大輝度値など）に応じて、発光部１１６の発光輝度を分割エリア毎に仮決定し、撮影情報に応じて決定した発光輝度調整量を全ての分割エリアに一律に足して、発光部１１６の発光輝度を本決定すればよい。
【００７７】
また、実施の形態１と同様に、階調補正部１０８による階調補正処理は省いてもよい。また、実施の形態１の変更例と同様に、発光輝度決定部３０３が、シャッタ速度情報、絞り値情報、ＩＳＯ感度情報に基づいて、発光部１１６の発光輝度を決定する代わりに、撮影モードに基づいて、発光部１１６の発光輝度を決定してもよい。
【００７８】
（実施の形態３）
実施の形態１，２の表示装置は、液晶パネルなどの表示パネルと、該表示パネルを背面から照射する面発光装置である発光部（バックライトモジュール）を備える構成であったが、この実施の形態３の表示装置は、自発光型の表示装置である。
【００７９】
図１７は、実施の形態３に係る表示装置４００の構成を示すブロック図である。図１７の表示装置４００を参照して、図１の表示装置１００と異なる点は、発光部１１６が削除され、発光輝度決定部１１４が発光ピーク輝度決定部４０１に置換され、発光制御部１１５が発光ピーク輝度制御部４０２に置換され、液晶パネル部１１２が有機ＥＬパネル部４０３に置換されている点である。図１７において、図１と同じ構成要素ついては同一の符号を付し、その詳細な説明は繰り返さない。
【００８０】
有機ＥＬ（Ｅｌｅｃｔｒｏ  Ｌｕｍｉｎｅｓｃｅｎｃｅ）パネル部４０３は、ＥＬ素子毎に陽極と陰極を持ち、陽極から陰極に流れる電流量に応じて、ＥＬ素子毎の発光輝度（発光量）が決定される。画像データの各画素の画素値（ＲＧＢ値）に応じて、各ＥＬ素子の発光輝度を制御することで、有機ＥＬ（Ｅｌｅｃｔｒｏ  Ｌｕｍｉｎｅｓｃｅｎｃｅ）パネルに画像が表示される。有機ＥＬ（Ｅｌｅｃｔｒｏ  Ｌｕｍｉｎｅｓｃｅｎｃｅ）パネル部４０３は、自発光の発光部として機能する。
【００８１】
発光ピーク輝度決定部４０１は、撮影情報取得部１０５が取得した撮影情報（環境光レベル、絞り値、シャッタ速度、ＩＳＯ感度、撮影モードなど）を、システム制御部１０２を介して受け取る。そして、撮影情報に基づいて有機ＥＬパネル部４０３の発光ピーク輝度（白ピーク輝度）を決定する。発光ピーク輝度決定部４０１による発光ピーク輝度決定処理は、図５と同様のフローで行われる。
【００８２】
図１８は、横軸を環境光レベル（ｌｕｘ：ルクス）、縦軸を有機ＥＬパネル部４０３の発光ピーク輝度（ｃｄ／ｍ２：カンデラ毎平方メートル）とし、環境光レベルと発光ピーク輝度との関係を表した図である。ただし、発光ピーク輝度とは、白色を表示した場合の白ピーク輝度を表す。撮影時の被写体の印象に近い画像表示を実現するために、環境光レベルが所定値よりも高い場合は、発光ピーク輝度を基準値よりも高くし、環境光レベルが所定値よりも低い場合は、発光ピーク輝度を基準値よりも低くする。そして、環境光レベルが高ければ高いほど、発光ピーク輝度をより高くし、環境光レベルが低ければ低いほど、発光ピーク輝度をより低くする。
【００８３】
環境光レベルの最大値Ｓ＿ｍａｘ（例えば、１００，０００（ｌｕｘ））に対応する発光部１１６の発光ピーク輝度の最大値Ｂ＿ｍａｘは、例えば１２００（ｃｄ／ｍ２）とする。また、環境光レベルの基準値Ｓ＿ｒｅｆ（例えば、６０，０００（ｌｕｘ））に対応する発光部１１６の発光ピーク輝度の中間値Ｂ＿ｍｉｄは、例えば６００（ｃｄ／ｍ２）とする。また、環境光レベルの最小値Ｓ＿ｍｉｎ（例えば、０（ｌｕｘ））に対応する発光部１１６の発光ピーク輝度の最小値Ｂ＿ｍｉｎは、例えば１００（ｃｄ／ｍ２）とする。
【００８４】
発光ピーク輝度制御部４０２は、発光ピーク輝度決定部４０１により決定された発光ピーク輝度に従い、制御信号を生成して、データ信号供給部１１０と走査信号供給部１１１に出力する。走査信号供給部１１１は、パネル制御部１０９からの走査信号に基づいて、液晶パネル部１１２のラインを順次選択する。データ信号供給部１１０は、パネル制御部１０９からのラインデータ信号と、発光ピーク輝度制御部４０２からの制御信号とに基づいて、有機ＥＬパネル部４０３の各ラインにデータを供給する。データ信号供給部１１０が、有機ＥＬパネル部４０３の各ＥＬ素子に流れる電流量を調整することにより、発光ピーク輝度が調整される。例えば、データ信号供給部１１０が、パネル制御部１０９からのラインデータ信号に対して、発光ピーク輝度制御部４０２からの制御信号に応じたゲイン係数を掛けることにより、有機ＥＬパネル部４０３の各ＥＬ素子に流れる電流量を増減させる。
【００８５】
以上のように、本実施の形態によれば、撮影時の環境光の明るさを考慮して表示装置の発光部の発光輝度（発光ピーク輝度）を制御することで、撮影時の被写体の印象に近い画像表示を実現することができる。撮影現場を従来よりも忠実に再現して表示することができるため、特に静止画像や動画像の作品観賞用途に有効である。さらに、環境光レベルが高いほど、発光ピーク輝度（白ピーク輝度）を高くするので、有機ＥＬパネルによる表示できるダイナミックレンジは大きくなる。このため、環境光レベルが高いほど、画像全体の輝度が持ち上げられるが、黒輝度は変更しないため、黒浮きは発生しない。また、環境光レベルが低いほど、発光ピーク輝度（白ピーク輝度）を低くするので、有機ＥＬパネルによる表示できるダイナミックレンジは小さくなる。このため、環境光レベルが低いほど、画像全体の輝度が下げられる。
【００８６】
なお、実施の形態１と同様に、階調補正部１０８による階調補正処理は省いてもよい。また、実施の形態１の変更例と同様に、発光輝度決定部３０３が、シャッタ速度情報、絞り値情報、ＩＳＯ感度情報ではなく、撮影モードに基づいて、発光部の発光輝度（発光ピーク輝度）を決定してもよい。
【符号の説明】
【００８７】
１００  表示装置
１０２  システム制御部
１０５  撮影情報取得部
１０８  階調補正部
１１２  液晶パネル部
１１４  発光輝度決定部
１１５  発光制御部
１１６  発光部
【図１】
2014155005.tif 000003
【図２】
2014155005.tif 000004
【図３】
2014155005.tif 000005
【図４】
2014155005.tif 000006
【図５】
2014155005.tif 000007
【図６】
2014155005.tif 000008
【図７】
2014155005.tif 000009
【図８】
2014155005.tif 000010
【図９】
2014155005.tif 000011
【図１０】
2014155005.tif 000012
【図１１】
2014155005.tif 000013
【図１２】
2014155005.tif 000014
【図１３】
2014155005.tif 000015
【図１４】
2014155005.tif 000016
【図１５】
2014155005.tif 000017
【図１６】
2014155005.tif 000018
【図１７】
2014155005.tif 000019
【図１８】
2014155005.tif 000020